【事件の表示】
　平成　６年特許願第　９８９５９号「会計システムにおける仕訳入力の表示方法」拒絶査定不服審判事件〔平成　７年１１月２１日出願公開、特開平　７−３０６８９６〕について、次のとおり審決する。
【結　論】
　本件審判の請求は、成り立たない。
【理　由】
１．手続の経緯
　本願は、平成６年５月１２日の出願であって、平成１５年３月１３日付けで拒絶理由通知がなされ、同年５月２２日付けで手続補正がなされたが、平成１６年１月２７日付けで拒絶査定がなされ、これに対し、同年３月２日に拒絶査定不服審判の請求がなされるとともに、同年３月２９日付けで手続補正がなされたものである。
　
２．平成１６年３月２９日付けの手続補正についての補正却下の決定
［補正却下の決定の結論］
　平成１６年３月２９日付けの手続補正を却下する。
　
［理由］
（１）補正の目的の適否について
　本件手続補正の目的が特許法第１７条の２第４項の規定に適合するか否かを検討する。
　上記本件手続補正の特許請求の範囲についての補正内容は、
「【請求項１】
　少なくとも現金取引発生日と摘要コードと入金額と出金額に関する現金取引データを記憶する手段を有した現金取引帳マスタファイルと、該現金取引帳マスタファイルを記憶させる手段を有すると共に会計処理プログラムを記憶させる手段を有したハードディスクと、ＣＰＵでの処理に必要なデータ等を記憶させる手段を有したＲＡＭと、ＣＰＵから出力されたデータ等を表示させる手段を有すると共に現金取引帳マスタファイルに記憶させた現金取引データを表示する手段を有したディスプレーと、ＣＰＵに入力処理をさせる手段を有したキーボードと、前記ハードディスクに記憶させた会計処理プログラムを実行する手段を有すると共に前記キーボードと前記ＲＡＭと前記ディスプレーと前記ハードディスクの管理を行う手段を有したＣＰＵと、を備えた会計システムにおける仕訳入力の表示方法において、前記ディスプレーに前記現金取引データを表示させ、該表示させた現金取引データに入力処理をして取引発生日と摘要コードと取引名称と入金額と出金額と備考との欄が設けられた現金出納入力画面を表示させ、該現金出納入力画面に入力処理をして摘要コードと取引名称とを対応させた摘要一覧画面を表示させ、該摘要一覧画面の摘要コードに入力処理をさせ該摘要コードに対応する取引名称の詳細がある摘要詳細一覧画面を表示させ、該摘要詳細一覧画面の取引名称に入力処理をして取引金額を入力する取引金額欄を有する対応画面を表示させ、該対応画面の取引金額欄に入力処理をして前記現金出納入力画面の入金額又は出金額いずれかの欄に取引金額を表示させた前記現金出納入力画面が表示されることを特徴とする会計システムにおける仕訳入力の表示方法。
【請求項２】
　少なくとも預金取引発生日と摘要コードと入金額と出金額に関する預金取引データを記憶する預金通帳マスタファイルと、該預金通帳マスタファイルを記憶させる手段を有すると共に会計処理プログラムを記憶させる手段を有したハードディスクと、ＣＰＵでの処理に必要なデータ等を記憶させる手段を有したＲＡＭと、ＣＰＵから出力されたデータ等を表示させる手段を有すると共に預金通帳マスタファイルに記憶させた預金取引データを表示する手段を有したディスプレーと、ＣＰＵに入力処理をさせる手段を有したキーボードと、前記ハードディスクに記憶させた会計処理プログラムを実行する手段を有すると共に前記キーボードと前記ＲＡＭと前記ディスプレーと前記ハードディスクの管理を行う手段を有したＣＰＵと、を備えた会計システムにおける仕訳入力の表示方法において、前記ディスプレーに前記預金取引データを表示させ、該表示させた預金取引データに入力処理をして取引発生日と摘要コードと取引名称と入金額と出金額と備考との欄が設けられた預金通帳画面と共に摘要コードと取引名称とを対応させて表示する摘要一覧画面とを表示させ、該摘要一覧画面の摘要コードに入力処理をさせ該摘要コードに対応する取引名称を前記預金通帳画面の取引名称欄に表示すると共に取引金額を入力処理する欄を有する対応画面を前記摘要コードに応じて表示させ、前記取引金額を入力処理すると前記預金通帳画面の入金額又は出金額いずれかの欄に取引金額が表示されることを特徴とする会計システムにおける仕訳入力の表示方法。
【請求項３】
　前記対応画面は、会計上発生する頻度が高く且つ一般的にどの企業にも発生するいわゆるパターン化取引に対応した画面と、現金取引と預金取引と掛売取引又は購買取引に相手取引が１対１に対応するいわゆる単一取引に対応した画面と、一つの現金取引と預金取引と掛売取引又は購買取引に複数の相手取引が対応するいわゆる複数取引に対応した画面と、現金取引又は預金取引と他の取引に一つの相手取引が対応するいわゆる複合取引に対応した画面と、が表示されることを特徴とする請求項１又は請求項２に記載の会計システムにおける仕訳入力の表示方法。
【請求項４】
　前記対応画面は、取引先コードを入力する欄と取引先名称を表示する欄を有し、取引先コードを入力する欄に入力処理すると補助科目コードと補助科目名称を対応させて表示する補助科目表示画面が表示可能であり、前記補助科目表示画面の補助科目コードを取引先コードを入力する欄に入力処理すると前記対応画面の取引先名称を表示する欄に前記補助科目コードと対応する補助科目名称が表示されることを特徴とす請求項１乃至請求項３に記載の会計システムにおける仕訳入力の表示方法。
【請求項５】
　少なくとも売上日と売掛先コードと売上額と掛売摘要コードと税区分からなる売上データを記憶する売上帳マスタファイルと、該現金取引帳マスタファイルを記憶させる手段を有すると共に会計処理プログラムを記憶させる手段を有したハードディスクと、ＣＰＵでの処理に必要なデータ等を記憶させる手段を有したＲＡＭと、ＣＰＵから出力されたデータ等を表示させる手段を有すると共に売上帳マスタファイルに記憶させた売上データを表示する手段を有したディスプレーと、ＣＰＵに入力処理をさせる手段を有したキーボードと、前記ハードディスクに記憶させた会計処理プログラムを実行する手段を有すると共に前記キーボードと前記ＲＡＭと前記ディスプレーと前記ハードディスクの管理を行う手段を有したＣＰＵと、を備えた会計システムにおける仕訳入力の表示方法において、前記ディスプレーに前記売上データを表示させ、該表示させた売上データに入力処理をして売上日と売掛先コードと売上額と掛売摘要コードと税区分を入力する欄と売掛先名称と掛売摘要名称を表示する欄が設けられた売上帳画面とが表示され、前記売掛先コードと売掛先名称とを対応させて表示する補助科目一覧画面と共に掛売摘要コードと掛売摘要名称とを対応させて表示する掛売摘要一覧画面とが表示され、前記売掛先コードに入力処理をすると売掛先コードに応じた売掛先名称を前記売上帳画面の売掛先名称欄に表示され、前記掛売摘要コードに入力処理をすると掛売摘要コードに応じた掛売摘要名称が前記売上帳画面の掛売摘要名称欄に表示されることを特徴とする会計システムにおける仕訳入力の表示方法。
【請求項６】
　少なくとも購買日と購買先コードと購入額と購買摘要コードと税区分からなる購買データを記憶する手段を有した購買帳マスタファイルと、該購買帳マスタファイルを記憶させる手段を有すると共に会計処理プログラムを記憶させる手段を有したハードディスクと、ＣＰＵでの処理に必要なデータ等を記憶させる手段を有したＲＡＭと、ＣＰＵから出力されたデータ等を表示させる手段を有すると共に購買帳マスタファイルに記憶させた購買データを表示する手段を有したディスプレーと、ＣＰＵに入力処理をさせる手段を有したキーボードと、前記ハードディスクに記憶させた会計処理プログラムを実行する手段を有すると共に前記キーボードと前記ＲＡＭと前記ディスプレーと前記ハードディスクの管理を行う手段を有したＣＰＵと、を備えた会計システムにおける仕訳入力の表示方法において、前記ディスプレーに前記購買データを表示させ、該表示させた購買データに入力処理をして購買日と購買先コードと購入額と購買摘要コードと税区分を入力をする欄と購買先名称と購買摘要名称を表示する欄が設けられた購買帳画面を表示させ、前記購買先コードと購買先名称とを対応させて表示する補助科目一覧画面と共に購買摘要コードと購買摘要名称とを対応させて表示する購買摘要一覧画面とを表示させ、前記購買先コードに入力処理すると購買先コードに応じた購買先名称を前記購買帳画面の購買先名称欄に表示し、購買摘要コードに入力処理すると購買摘要コードに応じた購買摘要名称が前記購買帳画面の購買摘要名称欄に表示されることを特徴とする会計システムにおける仕訳入力の表示方法。
【請求項７】
　少なくとも社員コードと基本給からなる給与計算データを記憶する手段を有した給与計算マスタファイルと、該給与計算マスタファイルを記憶させる手段を有すると共に会計処理プログラムを記憶させる手段を有したハードディスクと、ＣＰＵでの処理に必要なデータ等を記憶させる手段を有したＲＡＭと、ＣＰＵから出力されたデータ等を表示させる手段を有すると共に給与計算マスタファイルに記憶させた給与計算データを表示する手段を有したディスプレーと、ＣＰＵに入力処理をさせる手段を有したキーボードと、前記ハードディスクに記憶させた会計処理プログラムを実行する手段を有すると共に前記キーボードと前記ＲＡＭと前記ディスプレーと前記ハードディスクの管理を行う手段を有したＣＰＵと、を備えた会計システムにおける仕訳入力の表示方法において、前記ディスプレーに給与計算データを表示させ、該表示させた給与計算データに入力処理をして社員コードと基本給を入力する欄と社員名称を表示する欄が設けられた給与計算画面を表示させ、前記社員コードと社員名称とを対応させて表示する社員一覧画面が表示され、前記社員コードに入力処理すると社員コードに応じた社員名称が前記給与計算画面の社員名称表示欄に表示されることを特徴とする会計システムにおける仕訳入力の表示方法。」を、
「【請求項１】
　少なくとも現金取引発生日と摘要コードと入金額と出金額に関する現金取引データを記憶する現金取引帳マスタファイルと、
　少なくとも前記現金取引帳マスタファイルと会計処理プログラムとを記憶するハードディスクと、
　ＣＰＵでの処理に必要なデータを記憶するＲＡＭと、
　ＣＰＵから出力されたデータと前記現金取引帳マスタファイルに記憶された現金取引デ
ータとを表示するディスプレーと、
　ＣＰＵに対する入力処理を行うキーボードと、
　前記ハードディスクに記憶した会計処理プログラムを実行すると共に前記キーボードと前記ＲＡＭと前記ディスプレーと前記ハードディスクの管理を行うＣＰＵと、
を備えた会計システムにおける自動仕訳入力のための画面表示方法であって、
　キーボードの特定のキーの押下による入力処理を受けて、ＣＰＵが現金取引のデータ入力のための現金出納帳メニューを含む取引処理メニューの画面をディスプレーに表示させて、取引処理の選択の入力を促すステップと、
　キーボードの特定のキーの押下による前記現金出納帳メニューの選択の入力処理を受けて、ＣＰＵが前記現金取引帳マスタファイルから現金取引データを読み込み、取引発生日と摘要コードと取引名称と入金額と出金額と備考との欄を設けた現金出納入力画面をディスプレーに表示させるステップと、
　特定のキーの押下による取引発生日の入力処理を受けて、ＣＰＵが前記読み込まれた現金取引データに基づいて摘要コードと取引名称とを対応させた摘要一覧を表示させて前記摘要一覧の摘要コードの入力を促す画面をディスプレーに表示させるステップと、
　摘要コードの選択を行うキーボートの入力処理を受けて、ＣＰＵが前記読み込まれた現金取引データに基づいて摘要コードに対応する取引名称の詳細を表示した摘要詳細一覧を表示させて前記摘要詳細一覧から取引名称の詳細の入力を促す画面をディスプレーに表示させるステップと、
　取引名称の詳細の選択を行うキーボードの入力処理を受けて、ＣＰＵが先に入力された摘要コード及び摘要詳細に対応した取引名称と取引名称の詳細と取引金額の入力欄を表示させた対応画面をディスプレーに表示させて取引金額の入力を促すステップと、
　取引金額の入力と終了を指示するキーボードの入力処理を受けて、ＣＰＵが入金額又は出金額いずれかの欄に取引金額を表示させた前記現金出納入力画面をディスプレーに表示させるステップと
　を有する、会計システムにおける自動仕訳入力のための画面表示方法。
【請求項２】
　少なくとも預金取引発生日と摘要コードと入金額と出金額に関する預金取引データを記憶する預金通帳マスタファイルと、
　少なくとも前記預金通帳マスタファイルと会計処理プログラムとを記憶するハードディスクと、
　ＣＰＵでの処理に必要なデータを記憶するＲＡＭと、
　ＣＰＵから出力されたデータと前記預金通帳マスタファイルに記憶された預金取引データとを表示するディスプレーと、
　ＣＰＵに対する入力処理を行うキーボードと、
　前記ハードディスクに記憶した会計処理プログラムを実行すると共に前記キーボードと前記ＲＡＭと前記ディスプレーと前記ハードディスクの管理を行うＣＰＵと、
を備えた会計システムにおける自動仕訳入力のための画面表示方法であって、
　キーボードの特定のキーの押下による入力処理を受けて、ＣＰＵがディスプレーに預金取引のデータ入力のための預金通帳メニューを含む取引処理メニューの画面をディスプレーに表示させて、取引処理の選択の入力を促すステップと、
　キーボードの特定のキーの押下による前記預金通帳メニューの選択の入力処理を受けて、ＣＰＵが前記預金通帳マスタファイルから預金取引データを読み込み、取引発生日と摘要コードと取引名称と入金額と出金額と備考との欄を設けた預金通帳入力画面をディスプレーに表示させるステップと、
　特定のキーの押下による取引発生日の入力処理を受けて、ＣＰＵが前記読み込まれた現金取引データに基づいて摘要コードと取引名称とを対応させた摘要一覧を表示させて前記摘要一覧の摘要コードの入力を促す画面をディスプレーに表示させるステップと、
　摘要コードの選択を行うキーボートの入力処理を受けて、ＣＰＵが前記読み込まれた預金取引データに基づいて摘要コードに対応する取引名称の詳細を表示した摘要詳細一覧を表示させて前記摘要詳細一覧から取引名称の詳細の入力を促す画面をディスプレーに表示させるステップと、
　取引名称の詳細の選択を行うキーボードの入力処理を受けて、ＣＰＵが先に入力された摘要コード及び摘要詳細に対応した取引名称と取引名称の詳細と取引金額の入力欄を表示させた対応画面をディスプレーに表示させて取引金額の入力を促すステップと、
　取引金額の入力と終了を指示するキーボードの入力処理を受けて、ＣＰＵが入金額又は出金額いずれかの欄に取引金額を表示させた前記預金通帳入力画面をディスプレーに表示させるステップと
　を有する、会計システムにおける自動仕訳入力のための画面表示方法。
【請求項３】
　前記対応画面は、会計上発生する頻度が高く且つ一般的にどの企業にも発生するパターン化取引に対応した画面、現金取引と預金取引と掛売取引又は購買取引に相手取引が１対１に対応する単一取引に対応した画面、１つの現金取引と預金取引と掛売取引又は購買取引に複数の相手取引が対応する複数取引に対応した画面、及び現金取引又は預金取引と他の取引に１つの相手取引が対応する複合取引に対応した画面、のいずれか１つである、請求項１または請求項２に記載の会計システムにおける自動仕訳入力のための画面表示方法。
【請求項４】
　前記対応画面は、取引先コードの入力欄と取引先名称を表示する欄を有し、キーボードからの取引先コードの入力欄を指定する入力処理を受けて、ＣＰＵが補助科目コードと補助科目名称とを対応させて表示する補助科目表示画面をディスプレーに表示させ、前記補助科目表示画面の補助科目コードを取引先コードの入力欄に入力するキーボートの入力処理を受けて、ＣＰＵが前記対応画面の取引先名称を表示する欄に前記補助科目コードと対応する補助科目名称を表示させる、請求項１乃至請求項３に記載の会計システムにおける自動仕訳入力のための画面表示方法。
【請求項５】
　少なくとも売上日と売掛先コードと売上額と掛売摘要コードと税区分からなる売上データを記憶する売上帳マスタファイルと、
　前記売上帳マスタファイルと会計処理プログラムを記憶するハードディスクと、
　ＣＰＵでの処理に必要なデータを記憶するＲＡＭと、
　ＣＰＵから出力されたデータと前記売上帳マスタファイルに記憶された売上データとを表示するディスプレーと、
　ＣＰＵに対する入力処理を行うキーボードと、
　前記ハードディスクに記憶した会計処理プログラムを実行すると共に前記キーボードと前記ＲＡＭと前記ディスプレーと前記ハードディスクの管理を行うＣＰＵと、を備えた会計システムにおける自動仕訳入力のための画面表示方法であって、
　キーボードの特定のキーの押下による入力処理を受けて、ＣＰＵが売上帳に関するデータ入力のための売上帳メニューを含む取引処理メニューの画面をディスプレーに表示させて、取引処理の選択の入力を促すステップと、
　キーボートの特定のキーの押下による前記売上帳メニューの選択の入力処理を受けて、ＣＰＵが売上帳に関するデータを登録する月を入力させる画面をディスプレーに表示させるステップと、
　キーボードの特定のキーの押下による月の入力処理を受けて、ＣＰＵが掛売台帳種別コードと掛売台帳種別名称とを対応させて表示する掛売台帳種別画面をディスプレーに表示させるステップと、
　キーボードによる該当する掛売台帳種別コードの入力処理を受けて、ＣＰＵが前記売上帳マスタファイルから売上データを読み込み、売上日と売掛先コードと売上額と掛売摘要コードと税区分とを入力する欄と売掛先名称と掛売摘要名称とを表示する欄とが設けられた売上帳画面をディスプレーに表示させるステップと、
　キーボードの特定のキーの押下による入力処理を受けて、ＣＰＵが、売掛先コードと売掛先名称とを対応させて表示する補助科目一覧画面と、掛売摘要コードと掛売摘要名称とを対応させて表示する掛売摘要一覧画面とを表示させるステップと、
　キーボードにより、売掛先コードの入力欄に該当する補助科目コードを入力する入力処理と、掛売摘要コードの入力欄に該当する掛売摘要コードを入力する入力処理と、を受けて、ＣＰＵが、入力された売掛先コードに対応した売掛先名称と、入力された掛売摘要コードに対応した掛売摘要名称とを、それぞれ前記売上帳画面の売掛先名称と掛売適用名称を表示する欄に表示させるステップと
　を有する、会計システムにおける自動仕訳入力のための画面表示方法。
【請求項６】
　少なくとも購買日と購買先コードと購入額と購買摘要コードと税区分からなる購買データを記憶する購買帳マスタファイルと、
　前記購買帳マスタファイルと会計処理プログラムを記憶するハードディスクと、
　ＣＰＵでの処理に必要なデータを記憶するＲＡＭと、
　ＣＰＵから出力されたデータと前記購買帳マスタファイルに記憶された購買データとを表示するディスプレーと、
　ＣＰＵに対する入力処理を行うキーボードと、
　前記ハードディスクに記憶した会計処理プログラムを実行すると共に前記キーボードと前記ＲＡＭと前記ディスプレーと前記ハードディスクの管理を行うＣＰＵと、を備えた会計システムにおける自動仕訳入力のための画面表示方法であって、
　キーボードの特定のキーの押下による入力処理を受けて、ＣＰＵが購買帳に関するデータ入力のための購買帳メニューを含む取引処理メニューの画面をディスプレーに表示させて、取引処理の選択の入力を促すステップと、
　キーボートの特定のキーの押下による前記購買帳メニューの選択の入力処理を受けて、ＣＰＵが購買帳に関するデータを登録する月を入力させる画面をディスプレーに表示させるステップと、
　キーボードの特定のキーの押下による月の入力処理を受けて、ＣＰＵが購買台帳種別コードと購買台帳種別名称とを対応させて表示する購買台帳種別画面をディスプレーに表示させるステップと、
　キーボードによる該当する購買台帳種別コードの入力処理を受けて、ＣＰＵが前記購買帳マスタファイルから購買データを読み込み、購買日と購買先コードと購入額と購買摘要コードと税区分とを入力する欄と購買先名称と購買摘要名称とを表示する欄とが設けられ
た購買帳画面をディスプレーに表示させるステップと、
　キーボードの特定のキーの押下による入力処理を受けて、ＣＰＵが、購買先コードと購買先名称とを対応させて表示する補助科目一覧画面と、購買摘要コードと購買摘要名称とを対応させて表示する購買摘要一覧画面とを表示させるステップと、
　キーボードにより、購買先コードの入力欄に該当する補助科目コードを入力する入力処理と、購買摘要コードの入力欄に該当する購買摘要コードを入力する入力処理と、を受けて、ＣＰＵが、入力された購買先コードに対応した購買先名称と、入力された購買摘要コードに対応した購買摘要名称とを、それぞれ前記購買帳画面の購買先名称と購買適用名称を表示する欄に表示させるステップと
　を有する、会計システムにおける自動仕訳入力のための画面表示方法。
【請求項７】
　少なくとも社員コードと基本給からなる給与計算データを記憶する給与計算マスタファイルと、
　前記給与計算マスタファイルと会計処理プログラムを記憶するハードディスクと、
　ＣＰＵでの処理に必要なデータを記憶するＲＡＭと、
　ＣＰＵから出力されたデータと前記給与計算マスタファイルに記憶された給与計算データとを表示するディスプレーと、
　ＣＰＵに対する入力処理を行うキーボードと、
　前記ハードディスクに記憶した会計処理プログラムを実行すると共に前記キーボードと前記ＲＡＭと前記ディスプレーと前記ハードディスクの管理を行うＣＰＵと、を備えた会計システムにおける自動仕訳入力のための画面表示方法であって、
　キーボードの特定のキーの押下による入力処理を受けて、ＣＰＵが給与台帳に関するデータ入力のための給与台帳メニューを含む取引処理メニューの画面をディスプレーに表示させて、取引処理の選択の入力を促すステップと、
　キーボートの特定のキーの押下による前記給与台帳メニューの選択の入力処理を受けて、ＣＰＵが給与台帳に関するデータを登録する月日を入力させる画面をディスプレーに表示させるステップと、
　キーボードの特定のキーの押下による月日の入力処理を受けて、ＣＰＵが前記給与計算マスタファイルから給与計算データを読み込み、少なくとも社員コードと基本給を入力する欄と社員名称を表示する欄とが設けられた給与計算画面をディスプレーに表示させるステップと、
　キーボードの特定のキーの押下による入力処理を受けて、ＣＰＵが、社員コードと社員名称とを対応させて表示する社員コード一覧画面を表示させるステップと、
　キーボードにより、社員コードの入力欄に該当する社員コードを入力する入力処理を受けて、ＣＰＵが、入力された社員コードに対応した社員名称を、前記給与計算画面の社員名称を表示する欄に表示させるステップと
　を有する、会計システムにおける自動仕訳入力のための画面表示方法。」
に補正しようとするものであるが、この補正において、補正前の請求項と補正後の請求項の対応関係は、補正前の請求項１乃至７がそれぞれ補正後の請求項１乃至７に対応するものである。
　
　そこで、まず、補正前の請求項１と補正後の請求項１とを比較すると、補正後の請求項１は、「キーボードの特定のキーの押下による入力処理を受けて、ＣＰＵが現金取引のデータ入力のための現金出納帳メニューを含む取引処理メニューの画面をディスプレーに表示させて、取引処理の選択の入力を促すステップ」を有するものであるのに対し、補正前の請求項１においては、「前記ディスプレーに前記現金取引データを表示させ」ることは行われているものの、「現金取引のデータ入力のための現金出納帳メニューを含む取引処理メニューの画面をディスプレーに表示させて、取引処理の選択の入力を促す」ことは行われていない。
　そして、「現金取引のデータ入力のための現金出納帳メニューを含む取引処理メニューの画面をディスプレーに表示させて、取引処理の選択の入力を促す」ことは、「前記ディスプレーに前記現金取引データを表示させ」ることを限定したり明りょうにしたりするものではないことは明らかであり、また、補正前の請求項１の他の記載を限定したり明りょうにしたりするものでもない。
　
　次に、補正前の請求項２と補正後の請求項２とを比較すると、補正後の請求項２は、「キーボードの特定のキーの押下による入力処理を受けて、ＣＰＵがディスプレーに預金取引のデータ入力のための預金通帳メニューを含む取引処理メニューの画面をディスプレーに表示させて、取引処理の選択の入力を促すステップ」を有するものであるのに対し、補正前の請求項２においては、「前記ディスプレーに前記預金取引データを表示させ」ることは行われているものの、「預金取引のデータ入力のための預金通帳メニューを含む取引処理メニューの画面をディスプレーに表示させて、取引処理の選択の入力を促す」ことは行われていない。
　そして、「預金取引のデータ入力のための預金通帳メニューを含む取引処理メニューの画面をディスプレーに表示させて、取引処理の選択の入力を促す」ことは、「前記ディスプレーに前記預金取引データを表示させ」ることを限定したり明りょうにしたりするものではないことは明らかであり、また、補正前の請求項２の他の記載を限定したり明りょうにしたりするものでもない。
　
　次に、補正前の請求項５と補正後の請求項５とを比較すると、補正後の請求項５は、「キーボードの特定のキーの押下による入力処理を受けて、ＣＰＵが売上帳に関するデータ入力のための売上帳メニューを含む取引処理メニューの画面をディスプレーに表示させて、取引処理の選択の入力を促すステップ」を有するものであるのに対し、補正前の請求項５においては、「前記ディスプレーに前記売上データを表示させ」ることは行われているものの、「売上帳に関するデータ入力のための売上帳メニューを含む取引処理メニューの画面をディスプレーに表示させて、取引処理の選択の入力を促す」ことは行われていない。
　そして、「売上帳に関するデータ入力のための売上帳メニューを含む取引処理メニューの画面をディスプレーに表示させて、取引処理の選択の入力を促す」ことは、「前記ディスプレーに前記売上データを表示させ」ることを限定したり明りょうにしたりするものではないことは明らかであり、また、補正前の請求項５の他の記載を限定したり明りょうにしたりするものでもない。
　
　次に、補正前の請求項６と補正後の請求項６とを比較すると、補正後の請求項６は、「キーボードの特定のキーの押下による入力処理を受けて、ＣＰＵが購買帳に関するデータ入力のための購買帳メニューを含む取引処理メニューの画面をディスプレーに表示させて、取引処理の選択の入力を促すステップ」を有するものであるのに対し、補正前の請求項６においては、「前記ディスプレーに前記購買データを表示させ」ることは行われているものの、「購買帳に関するデータ入力のための購買帳メニューを含む取引処理メニューの画面をディスプレーに表示させて、取引処理の選択の入力を促す」ことは行われていない。
　そして、「購買帳に関するデータ入力のための購買帳メニューを含む取引処理メニューの画面をディスプレーに表示させて、取引処理の選択の入力を促す」ことは、「前記ディスプレーに前記購買データを表示させ」ることを限定したり明りょうにしたりするものではないことは明らかであり、また、補正前の請求項６の他の記載を限定したり明りょうにしたりするものでもない。
　
　次に、補正前の請求項７と補正後の請求項７とを比較すると、補正後の請求項７は、「キーボードの特定のキーの押下による入力処理を受けて、ＣＰＵが給与台帳に関するデータ入力のための給与台帳メニューを含む取引処理メニューの画面をディスプレーに表示させて、取引処理の選択の入力を促すステップ」を有するものであるのに対し、補正前の請求項７においては、「前記ディスプレーに給与計算データを表示させ」ることは行われているものの、「給与台帳に関するデータ入力のための給与台帳メニューを含む取引処理メニューの画面をディスプレーに表示させて、取引処理の選択の入力を促す」ことは行われていない。
　そして、「給与台帳に関するデータ入力のための給与台帳メニューを含む取引処理メニューの画面をディスプレーに表示させて、取引処理の選択の入力を促す」ことは、「前記ディスプレーに給与計算データを表示させ」ることを限定したり明りょうにしたりするものではないことは明らかであり、また、補正前の請求項７の他の記載を限定したり明りょうにしたりするものでもない。
　
　よって、補正後の請求項１，２，５乃至７に記載された発明は、補正前の請求項１，２，５乃至７に記載された発明を特定するために必要な事項を限定して特許請求の範囲の減縮をしたものとも、明りょうにしたものとも認められない。
　
　また、請求項３及び４に記載された発明は、補正前、補正後ともに、請求項１または２を引用するものであり、補正後の請求項３及び４に記載された発明は、同様に、補正前の請求項３及び４に記載された発明を特定するために必要な事項を限定して特許請求の範囲の減縮をしたものとも、明りょうにしたものとも認められない。
　
　以上のとおり、補正後の請求項１乃至７に記載された発明は、補正前の請求項１乃至７に記載された発明を特定するために必要な事項を限定して特許請求の範囲の減縮をしたものとも、明りょうにしたものとも認められないから、上記補正は、特許法第１７条の２第４項第２号及び第４号の規定に適合しない。
　
　さらに、上記補正が、特許法第１７条の２第４項第１号の請求項の削除に該当しないことは明らかであり、第３号の誤記の訂正であるとも認められない。
　よって、上記補正は、特許法第１７条の２第４項各号のいずれを目的としたものとも認められない。
　
（２）むすび
　したがって、本件手続補正は、特許法第１７条の２第４項の規定に違反するものであり、特許法第１５９条第１項で準用する同法第５３条第１項の規定により却下されるべきものである。
　
３．補正却下の決定を踏まえた検討
（１）本願発明
　平成１６年３月２９日付けの手続補正は、上記のとおり却下されたので、本願の請求項１に係る発明は、平成１５年５月２２日付け手続補正書の特許請求の範囲の請求項１に記載されたとおりの次のものと認める。
「少なくとも現金取引発生日と摘要コードと入金額と出金額に関する現金取引データを記憶する手段を有した現金取引帳マスタファイルと、該現金取引帳マスタファイルを記憶させる手段を有すると共に会計処理プログラムを記憶させる手段を有したハードディスクと、ＣＰＵでの処理に必要なデータ等を記憶させる手段を有したＲＡＭと、ＣＰＵから出力されたデータ等を表示させる手段を有すると共に現金取引帳マスタファイルに記憶させた現金取引データを表示する手段を有したディスプレーと、ＣＰＵに入力処理をさせる手段を有したキーボードと、前記ハードディスクに記憶させた会計処理プログラムを実行する手段を有すると共に前記キーボードと前記ＲＡＭと前記ディスプレーと前記ハードディスクの管理を行う手段を有したＣＰＵと、を備えた会計システムにおける仕訳入力の表示方法において、前記ディスプレーに前記現金取引データを表示させ、該表示させた現金取引データに入力処理をして取引発生日と摘要コードと取引名称と入金額と出金額と備考との欄が設けられた現金出納入力画面を表示させ、該現金出納入力画面に入力処理をして摘要コードと取引名称とを対応させた摘要一覧画面を表示させ、該摘要一覧画面の摘要コードに入力処理をさせ該摘要コードに対応する取引名称の詳細がある摘要詳細一覧画面を表示させ、該摘要詳細一覧画面の取引名称に入力処理をして取引金額を入力する取引金額欄を有する対応画面を表示させ、該対応画面の取引金額欄に入力処理をして前記現金出納入力画面の入金額又は出金額いずれかの欄に取引金額を表示させた前記現金出納入力画面が表示されることを特徴とする会計システムにおける仕訳入力の表示方法。」　
　
（２）原査定の理由
　原査定では、特許請求の範囲の請求項１乃至７に係る発明は、特許法上の「発明」に該当しないから、特許法第２９条第１項柱書に規定する要件を満たしておらず、特許を受けることができないとしている。
　
（３）当審の判断
　上述の原査定の理由が妥当であるか否か、以下で検討する。
　
（請求項１について）
　本願の請求項１に係る発明は、上記３．（１）に記載したとおりのものである。
　上記請求項１の記載中の「少なくとも現金取引発生日と摘要コードと入金額と出金額に関する現金取引データを記憶する手段を有した現金取引帳マスタファイルと、該現金取引帳マスタファイルを記憶させる手段を有すると共に会計処理プログラムを記憶させる手段を有したハードディスクと、ＣＰＵでの処理に必要なデータ等を記憶させる手段を有したＲＡＭと、ＣＰＵから出力されたデータ等を表示させる手段を有すると共に現金取引帳マスタファイルに記憶させた現金取引データを表示する手段を有したディスプレーと、ＣＰＵに入力処理をさせる手段を有したキーボードと、前記ハードディスクに記憶させた会計処理プログラムを実行する手段を有すると共に前記キーボードと前記ＲＡＭと前記ディスプレーと前記ハードディスクの管理を行う手段を有したＣＰＵと、を備えた会計システム」との記載によれば、本願の請求項１に係る発明が、ハードウエア資源として、「現金取引帳マスタファイル」、「ハードディスク」、「ＲＡＭ」、「ディスプレー」、「キーボード」、及び「ＣＰＵ」を備えていることは、上記請求項１中に記載されている。
　しかしながら、上記請求項１の記載において、「仕訳入力の表示方法」としては、「前記ディスプレーに前記現金取引データを表示させ、該表示させた現金取引データに入力処理をして取引発生日と摘要コードと取引名称と入金額と出金額と備考との欄が設けられた現金出納入力画面を表示させ、該現金出納入力画面に入力処理をして摘要コードと取引名称とを対応させた摘要一覧画面を表示させ、該摘要一覧画面の摘要コードに入力処理をさせ該摘要コードに対応する取引名称の詳細がある摘要詳細一覧画面を表示させ、該摘要詳細一覧画面の取引名称に入力処理をして取引金額を入力する取引金額欄を有する対応画面を表示させ、該対応画面の取引金額欄に入力処理をして前記現金出納入力画面の入金額又は出金額いずれかの欄に取引金額を表示させた前記現金出納入力画面が表示される」としか記載されておらず、「ディスプレー」にどのような内容の情報を表示させるかしか記載されていない。
　してみれば、本願の請求項１に係る発明がハードウエア資源として備えるとされている上記種々の構成をどのように用いて上記内容の情報を表示させるが規定されているとはいえず、ソフトウエアによる情報処理がハードウエア資源を用いて具体的に実現されているとはいえないから、上記請求項１の記載は、自然法則を利用した技術的思想の創作であるとはいえない。
　よって、本願の請求項１に係る発明は、特許法第２条で定義された「発明」とはいえない。
　
（４）むすび
　以上のとおり、本願の請求項１に係る発明は、特許法第２９条第１項柱書に規定する要件を満たしておらず、特許を受けることができない。
　したがって、本願は、他の請求項について検討するまでもなく、拒絶されるべきものである。
　よって、結論のとおり審決する。